(57)【要約】【課題】不必要なパネル撤去を行わず、作業環境に影響されない比較的簡易に工事をすることができ、かつ強度的に信頼できる補強用支持具および補強方法を提供する。【解決手段】壁面（２）と反対側で壁パネル（１）の主面に配置される平板（５）に開けられた第１の透孔、および壁パネル（１）に開けられた第１の貫通孔に連通して、壁面（２）にアンカーを固定し、アンカーに丸鋼（６ａ）を固定し、丸鋼（６ａ）は、平板（５）に固定し、平板（５）に開けられた第２の透孔、および壁パネル（１）に開けられた第２の貫通孔に連通して、平板（５）および壁パネル（１）を斧型金具（１０）により挟んで固定する。【選択図】図１
2007332721.tif 000002
【特許請求の範囲】
【請求項１】
壁面と間隔を開けて設置された壁パネルの補強用支持具であり、前記壁面と反対側で壁パネルの主面に配置される平板と、前記壁面に固定したアンカーと、前記平板に開けられた第１の透孔、および前記壁パネルに開けられた第１の貫通孔に連通して、該アンカーにねじ込む丸鋼と、該丸鋼を前記平板に固定する手段と、前記平板に開けられた第２の透孔、および前記壁パネルに開けられた第２の貫通孔に連通して、前記平板および前記壁パネルを挟んで固定可能な斧型金具とからなることを特徴とする壁パネルの補強用支持具。
【請求項２】
壁面と間隔を開けて設置された壁パネルを、壁面と反対側で壁パネルの主面に配置され第１の透孔および第２の透孔の開いた平板と、丸鋼と、斧型金具とにより補強する方法であり、前記壁パネルに第１の貫通孔および第２の貫通孔を開ける第１の手順、前記第１の貫通孔に通した工具により前記壁面にアンカーを固定する第２の手順、前記第１の貫通孔に通した前記丸鋼を該アンカーに固定する第３の手順、前記丸鋼を前記第１の透孔に通して、前記平板に固定する第４の手順、および、ねじ構造を一方の端部に備えた基部と、該基部の他方の端部に回動可能に取り付けられ、断面形状が略半円のアーチ状であり、前記基部の外側に沿って被せることが可能であるように寸法付けされ、前記基部と同一方向となるように回動することにより、前記第２の透孔および前記第２の貫通孔に通すことが可能となり、かつ、前記基部と垂直方向に回動することにより、前記第２の貫通孔の開口部より大きく広がる頭部とからなる斧型金具を、前記第２の透孔および前記第２の貫通孔に連通して、前記平板および前記壁パネルを挟んで固定する第５の手順からなることを特徴とする壁パネルの補強方法。
【発明の詳細な説明】
【技術分野】
【０００１】
本発明は、壁パネルの補強用支持具および補強方法に関し、特に、ＲＣ壁面の仕上げ材などとする目的で、ＲＣ壁面の表側に背当てとなる鋼材を設けずに、例えば長辺小口に設けられた溝に鉄筋とモルタルを挿入することで固定されたＡＬＣパネルなどにおいて、経年劣化や損傷などにより取付部の強度低下が認められ、継続使用が困難な場合で、さらにパネル表面側からしか工事が行えない状況の場合の補強用支持具および補強方法に関する。
【背景技術】
【０００２】
従来、ＲＣ壁面の仕上げ材などとする目的で、ＲＣ壁面の表側に背当てとなる鋼材を設けずに、例えば長辺小口に設けられた溝に鉄筋とモルタルを挿入することで、ＡＬＣパネルなどを固定する。このように固定されたＡＬＣパネルは、経年劣化や損傷などにより取付部の強度低下が認められ、継続使用が困難な場合で、さらにパネル表面側からしか工事が行えない状況の場合がある。このような場合には、表面側からボルトなどの締め付けを行うと、ＡＬＣパネルが裏面側にずれるため、その対策としては、止むを得ずＡＬＣパネルなどの取替えを行い、例えば。特開平８−２６０７０６号公報に記載されているＲＣコンクリート壁へのパネル取付け施工方法とそれに用いる金物などを使用していた。
【０００３】
この様な対策の場合、パネル表面側からしか工事が行えないため、ＡＬＣパネルなどの吊上げなどが行いにくく、ＡＬＣパネルなどの解体に手間がかかるという問題点がある。また、通常よりも工事の効率が悪いため、工期や費用も大きくなる。
【０００４】
また、該当物件が地下鉄の軌道内側壁などの場合、工事実施可能な期間や時間帯、あるいは、使用可能な機械や設備などが制限され、作業効率が極めて悪くなる。また、解体されたＡＬＣパネルなどの運び出しにも困難を要するという問題があった。
【特許文献１】特開平８−２６０７０６号公報
【発明の開示】
【発明が解決しようとする課題】
【０００５】
本発明の目的は、ＲＣ壁面の仕上げ材などとする目的で、ＲＣ壁面の表側に背当てとなる鋼材を設けずに、例えば長辺小口に設けられた溝に鉄筋とモルタルを挿入することで固定されたＡＬＣパネルなどにおいて、経年劣化や損傷などにより取付部の強度低下が認められ、継続使用が困難な場合で、さらにパネル表面側からしか工事が行えない状況の場合に、不必要なパネル撤去を行わず、作業環境に影響されない比較的簡易に工事をすることができ、かつ強度的に信頼できる補強用支持具および補強方法を提供することである。
【課題を解決するための手段】
【０００６】
本発明の壁パネルの補強用支持具は、壁面と間隔を開けて設置された壁パネルの補強用支持具であり、前記壁面と反対側で壁パネルの主面に配置される平板と、前記壁面に固定したアンカーと、前記平板に開けられた第１の透孔、および前記壁パネルに開けられた第１の貫通孔に連通して、該アンカーにねじ込む丸鋼と、該丸鋼を前記平板に固定する手段と、前記平板に開けられた第２の透孔、および前記壁パネルに開けられた第２の貫通孔に連通して、前記平板および前記壁パネルを挟んで固定可能な斧型金具とからなる。
【０００７】
本発明の壁パネルの補強方法は、壁面と間隔を開けて設置された壁パネルを、壁面と反対側で壁パネルの主面に配置され第１の透孔および第２の透孔の開いた平板と、丸鋼と、斧型金具とにより補強する方法であり、前記壁パネルに第１の貫通孔および第２の貫通孔を開ける第１の手順、前記第１の貫通孔に通した工具により前記壁面にアンカーを固定する第２の手順、前記第１の貫通孔に通した前記丸鋼を該アンカーに固定する第３の手順、前記丸鋼を前記第１の透孔に通して、前記平板に固定する第４の手順、および、ねじ構造を一方の端部に備えた基部と、該基部の他方の端部に回動可能に取り付けられ、断面形状が略半円のアーチ状であり、前記基部の外側に沿って被せることが可能であるように寸法付けされ、前記基部と同一方向となるように回動することにより、前記第２の透孔および前記第２の貫通孔に通すことが可能となり、かつ、前記基部と垂直方向に回動することにより、前記第２の貫通孔の開口部より大きく広がる頭部とからなる斧型金具を、前記第２の透孔および前記第２の貫通孔に連通して、前記平板および前記壁パネルを挟んで固定する第５の手順からなる。
【発明の効果】
【０００８】
本発明の壁パネルの補強方法により、背当てとなる鋼材がない場合のパネル補強を、パネル表面側からだけで行うことにより、強度的に有効な補強が可能であるため、不必要なパネル取替えをしなくても、壁パネルの継続使用を可能とすることができる。
【０００９】
従って、パネル撤去に要する費用や、該当物件の操業に与える影響を大幅に削減することが可能となる。
【００１０】
さらに、作業は室内足場や高所作業車などがあれば、少人数で安全かつ容易に行えるため、施工効率の向上およびコスト低減効果も大きいものとなる。
【発明を実施するための最良の形態】
【００１１】
以下、本発明の実施形態を図面に基づいて説明する。図１は、本発明の壁パネルの補強方法を示した一部破断斜視図である。図２は、本発明の壁パネルの補強方法を示すために、図１の一部を拡大した一連の一部破断斜視図である。図３は、斧型金具の２つの状態を示す斜視図である。図４は、平板を示す斜視図である。図５は、丸鋼を示す斜視図である。
【００１２】
図１に示すように、ＲＣ壁面（２）の仕上げ材などとする目的で、ＲＣ壁面（２）の表側に背当てとなる鋼材を設けることができないが、ＲＣ壁面（２）とは間隔が開いていて、例えば長辺小口に設けられた溝（１ａ）に、鉄筋（３）とモルタル（４）を挿入することで、壁パネル（１）は固定されている。
【００１３】
壁パネル（１）の補強用支持具は、壁面（２）と反対側で壁パネル（１）の主面に配置される平板（５）と、壁面（２）に固定したアンカー（６）と、平板（５）に開けられた第１の透孔（５ａ）、および壁パネル（１）に開けられた第１の貫通孔（１ｃ）に連通して、アンカー（６）にねじ込む丸鋼（６ａ）と、丸鋼（６ａ）を平板（５）に固定するナット（７ａ）、（８ａ）および座金（７ｂ）、（８ｂ）と、平板（５）に開けられた第２の透孔（５ｂ）、および壁パネル（１）に開けられた第２の貫通孔（１ｄ）に連通して、平板（５）および壁パネル（１）を挟んで固定可能な斧型金具（１０）、ナット（９ａ）および座金（９ｂ）とからなる。
【００１４】
平板（５）は、例えば、１００ｍｍ×５０ｍｍ×６ｍｍの大きさとし、第１の透孔（５ａ）および第２の透孔（５ｂ）は、φ１３ｍｍ程度とする。
【００１５】
アンカー（６）は、例えば、サンコーテクノ株式会社製の任意品でよい。丸鋼（６ａ）は、例えば、φ１２ｍｍ×長さ１８０ｍｍの大きさで、両端にねじ構造を備える。
【００１６】
斧型金具（１０）は、例えば、サンコーテクノ株式会社製の任意品でよく、基部（１０ｂ）と、基部（１０ｂ）の一方の端部に回動可能に取り付けられた頭部（１０ａ）とからなり、基部（１０ｂ）は、平板（５）に固定するためのねじ構造（１０ｃ）を他方の端部に備え、頭部（１０ａ）は、基部（１０ｂ）と同一方向となるように回動することにより、第２の透孔（５ｂ）および第２の貫通孔（１ｄ）に通すことが可能となり、かつ、基部（１０ｂ）と垂直方向に回動することにより、第２の貫通孔（１ｄ）の開口部より大きく広がる。斧型金具（１０）は、、公知の材料により公知技術のいずれかにより製造される。
【００１７】
本発明の壁パネルの補強方法について、図面を参照して説明する。
【００１８】
先ず、図２（ａ）に示すように、壁パネル（１）の所定位置に、ドリルなどを用いて座繰り（１ｂ）、第１の貫通孔（１ｃ）および第２の貫通孔（１ｄ）を開ける。
【００１９】
次に、図２（ｂ）に示すように、第１の貫通孔（１ｃ）に通した工具により、ＲＣ壁面（２）にアンカー（６）を固定する。
【００２０】
次に、図２（ｃ）に示すように、アンカー（６）に、丸鋼（６ａ）をねじ込み、ナット（７ａ）を回し入れて、座金（７ｂ）を挿入する。
【００２１】
次に、図２（ｄ）に示すように、基部（１０ｂ）と同一方向で、基部（１０ｂ）の上側となるように、頭部（１０ａ）を倒した状態の斧型金具（１０）を、第２の貫通孔（１ｄ）に挿入する。
【００２２】
次に、図２（ｅ）に示すように、第２の貫通孔（１ｄ）から出た頭部（１０ａ）は、自らの質量で基部（１０ｂ）と垂直方向に回動するので、頭部（１０ａ）が、第２の貫通孔（１ｄ）の開口部を跨ぐように、基部（１０ａ）を引く。
【００２３】
次に、図２（ｆ）に示すように、第１の透孔（５ａ）に丸鋼（６ａ）が通り、第２の透孔（５ｂ）に斧型金具（１０）の基部（１０ｂ）が通るように、平板（５）を配置する。
【００２４】
最後に、図２（ｇ）に示すように、ナット（９ａ）および座金（９ｂ）により、斧型金具（１０）の基部（１０ａ）を堅く固定する。さらに、ナット（８ａ）および座金（８ｂ）により、丸鋼（６ａ）を堅く固定する。
【００２５】
以上により、壁パネルの補強が完了する。従って、表面側からナットを締め付けても、座金によりパネルが裏面側にずれることを防止することができ、さらに両側にねじ切りした丸鋼でＲＣ壁面と固定することにより、パネル表面方向に対しての動きも防止することができる。
【図面の簡単な説明】
【００２６】
【図１】本発明の壁パネルの補強方法を示した一部破断斜視図である。
【図２】本発明の壁パネルの補強方法を示すために、図１の一部を拡大した一連の一部破断斜視図である。
【図３】斧型金具の２つの状態を示す斜視図である。
【図４】平板を示す斜視図である。
【図５】丸鋼を示す斜視図である。
【符号の説明】
【００２７】
１  壁パネル
１ａ  溝
１ｂ  座繰り
１ｃ  第１の貫通孔
１ｄ  第２の貫通孔
２  ＲＣ壁面
３  鉄筋
４  モルタル
５  平板
５ａ  第１の透孔
５ｂ  第２の透孔
６  アンカー
６ａ  丸鋼
７ａ、８ａ、９ａ  ナット
７ｂ、８ｂ、９ｂ  座金
１０  斧型金具
１０ａ  頭部
１０ｂ  基部
１０ｃ  ねじ構造
【図１】
2007332721.tif 000003
【図２】
2007332721.tif 000004
【図３】
2007332721.tif 000005
【図４】
2007332721.tif 000006
【図５】
2007332721.tif 000007